(57)【要約】【目的】  記録媒体への情報の記録時のレーザ光の発光パワーが異なる場合において設定誤差をなくして記録品質を落とさずに記録を行うことができるようにする。【構成】  ＬＤドライバ部３１がＬＤにレーザ光を第１の光量レベルとそれよりも大きい第２の光量レベルになるように電流信号を供給して発光駆動させ、ＬＤからのレーザ光を光ディスクに照射し、ＰＤがＬＤからのレーザ光の発光パワーを検出し、Ｉ／Ｖ変換器３２がその発光パワーの電流信号を電圧信号に変換し、第１のコンパレータ３５と第２のコンパレータ３６がその電圧信号のレベルと予め設定された基準電圧レベルとを比較し、ＣＰＵ３７等がその比較結果に応じた電圧信号をＬＤドライバ部３１に供給し、ＬＤが発光するレーザ光の発光パワーの光量レベルを調整し、ＣＰＵ３７がＬＤの微分効率を求め、その微分効率に基づいてＬＤドライバ部３１への電圧信号の最大設定値を変更する。【選択図】        図１
2005063546.tif 000002
【特許請求の範囲】
【請求項１】
記録媒体に照射するレーザ光を発光する発光手段と、該発光手段から発光されるレーザ光の発光パワーを少なくとも第１の光量レベルと該第１の光量レベルよりも大きいレベルである第２の光量レベルとの２つ以上の光量レベルになるように前記発光手段に電流信号を供給してレーザ光を発光駆動させる発光駆動手段と、前記発光手段によって発光されたレーザ光の発光パワーを検出する発光パワー検出手段と、該発光パワー検出手段によって検出された発光パワーの電流信号を電圧信号に変換する電流電圧変換手段と、該電流電圧変換手段によって変換された電圧信号のレベルと予め設定された基準電圧レベルとを比較する比較手段と、該比較手段による比較結果に応じた電圧信号によって前記発光駆動手段が前記発光手段に供給する電流信号を調整して前記発光手段が発光するレーザ光の発光パワーの光量レベルを調整する光量レベル調整手段とを有し、
前記光量レベル調整手段に、前記発光手段の微分効率を求め、該微分効率に基づいて前記発光駆動手段への電圧信号の最大設定値を変更する電圧信号最大設定値変更手段を設けたことを特徴とする光ディスク装置。
【請求項２】
請求項１記載の光ディスク装置において、
微分効率測定用の記録媒体へレーザ光の焦点を合わせない場合の非合焦時微分効率に対する前記微分効率測定用の記録媒体へレーザ光の焦点を合わせた場合の合焦時微分効率を求めるための演算情報を予め求めて記憶する演算情報記憶手段を設け、
前記電圧信号最大設定値変更手段は、前記記録媒体へのレーザ光の焦点を合わせないとき、前記発光手段の微分効率の初期値を求め、該求めた微分効率の初期値と前記演算情報記憶手段から取得した演算情報とに基づいて前記発光手段の微分効率を求め、該求めた微分効率に基づいて前記発光駆動手段への電圧信号の最大設定値を変更する手段であることを特徴とする光ディスク装置。
【請求項３】
請求項２記載の光ディスク装置において、
前記発光手段の微分効率を、前記記録媒体への情報記録前に求めるようにしたことを特徴とする光ディスク装置。
【請求項４】
請求項２記載の光ディスク装置において、
前記発光手段の微分効率を、前記記録媒体に情報を記録中に求めるようにしたことを特徴とする光ディスク装置。
【請求項５】
記録媒体に照射するレーザ光を発光する発光手段に電流信号を供給して前記レーザ光の発光パワーを少なくとも第１の光量レベルと該第１の光量レベルよりも大きいレベルである第２の光量レベルとの２つ以上の光量レベルになるように発光駆動させる発光駆動手段と、前記発光手段によって発光されたレーザ光の発光パワーを検出する発光パワー検出手段と、該発光パワー検出手段によって検出された発光パワーの電流信号を電圧信号に変換する電流電圧変換手段と、該電流電圧変換手段によって変換された電圧信号のレベルと予め設定された基準電圧レベルとを比較する比較手段と、該比較手段による比較結果に応じた電圧信号によって前記発光駆動手段が前記発光手段に供給する電流信号を調整して前記発光手段が発光するレーザ光の発光パワーの光量レベルを調整する光量レベル調整手段とを有し、
前記光量レベル調整手段に、前記発光手段の微分効率を求め、該微分効率に基づいて前記発光駆動手段への電圧信号の最大設定値を変更する電圧信号最大設定値変更手段を設けたことを特徴とするレーザパワー調整装置。
【請求項６】
請求項５記載のレーザパワー調整装置において、
微分効率測定用の記録媒体へレーザ光の焦点を合わせない場合の非合焦時微分効率に対する前記微分効率測定用の記録媒体へレーザ光の焦点を合わせた場合の合焦時微分効率を求めるための演算情報を予め求めて記憶する演算情報記憶手段を設け、
前記電圧信号最大設定値変更手段は、前記記録媒体へのレーザ光の焦点を合わせないとき、前記発光手段の微分効率の初期値を求め、該求めた微分効率の初期値と前記演算情報記憶手段から取得した演算情報とに基づいて前記発光手段の微分効率を求め、該求めた微分効率に基づいて前記発光駆動手段への電圧信号の最大設定値を変更する手段であることを特徴とするレーザパワー調整装置。
【請求項７】
請求項６記載のレーザパワー調整装置において、
前記発光手段の微分効率を、前記記録媒体への情報記録前に求めるようにしたことを特徴とするレーザパワー調整装置。
【請求項８】
請求項６記載のレーザパワー調整装置において、
前記発光手段の微分効率を、前記記録媒体に情報を記録中に求めるようにしたことを特徴とするレーザパワー調整装置。
【請求項９】
記録媒体に照射するレーザ光を発光する発光手段に電流信号を供給して前記レーザ光の発光パワーを少なくとも第１の光量レベルと該第１の光量レベルよりも大きいレベルである第２の光量レベルとの２つ以上の光量レベルになるように発光駆動させる発光駆動工程と、前記発光手段によって発光されたレーザ光の発光パワーを検出する発光パワー検出工程と、該発光パワー検出工程によって検出された発光パワーの電流信号を電圧信号に変換する電流電圧変換工程と、該電流電圧変換工程によって変換された電圧信号のレベルと予め設定された基準電圧レベルとを比較する比較工程と、該比較工程による比較結果に応じた電圧信号によって前記発光駆動工程による前記発光手段に供給する電流信号を調整して前記発光手段が発光するレーザ光の発光パワーの光量レベルを調整する光量レベル調整工程と、前記発光手段の微分効率を求め、該微分効率に基づいて前記発光駆動工程で出力する電圧信号の最大設定値を変更する電圧信号最大設定値変更工程とからなることを特徴とするレーザパワー調整方法。
【請求項１０】
請求項９記載のレーザパワー調整方法において、
微分効率測定用の記録媒体へレーザ光の焦点を合わせない場合の非合焦時微分効率に対する前記微分効率測定用の記録媒体へレーザ光の焦点を合わせた場合の合焦時微分効率を求めるための演算情報を予め求めて記憶する演算情報記憶工程を設け、前記電圧信号最大設定値変更工程は、前記記録媒体へのレーザ光の焦点を合わせないとき、前記発光手段の微分効率の初期値を求め、該求めた微分効率の初期値と前記演算情報記憶工程によって記憶された演算情報とに基づいて前記発光手段の微分効率を求め、該求めた微分効率に基づいて前記発光駆動工程によって出力する電圧信号の最大設定値を変更する工程であることを特徴とするレーザパワー調整方法。
【請求項１１】
請求項１０記載のレーザパワー調整方法において、
前記発光手段の微分効率を、前記記録媒体への情報記録前に求めることを特徴とするレーザパワー調整方法。
【請求項１２】
請求項１０記載のレーザパワー調整方法において、
前記発光手段の微分効率を、前記記録媒体に情報を記録中に求めることを特徴とするレーザパワー調整方法。
【発明の詳細な説明】
【技術分野】
【０００１】
この発明は、ＭＯ，ＭＤ，ＣＤ−Ｒディスク，ＣＤ−ＲＷディスク，ＤＶＤディスク等の光ディスクに対してレーザ光を照射して情報の記録及び再生を行う光ディスク装置と、上記レーザ光のレーザパワーを調整するレーザパワー調整装置と、上記レーザ光のレーザパワーを調整するレーザパワー調整方法とに関する
【背景技術】
【０００２】
近年、ＭＯ，ＭＤ，ＣＤ−Ｒディスク，ＣＤ−ＲＷディスク，ＤＶＤディスク等の光ディスクに対してレーザ光を照射して情報の記録及び再生を行う光ディスク装置においては、光ディスクに情報を高速で記録できるようになっているため、レーザ光を高い発光パワーで発光させる必要がでてきた。
光ディスク装置の記録スピードで設定できる記録スピードが高くなっているにもかかわらず、低速の方が記録品質がいいと思っているユーザがおり、特にオーディオなどの記録では記録スピードを落として記録しようとする人もいる。
しかし、実際の記録動作時において発光パワー（記録パワー）が高いパワーであるとき、Ｄ／Ａコンバータに予め設定する基準電圧値は大きくなるので、その基準電圧値に対するレーザ光の光量レベルの誤差は小さくなるが、記録パワーが最大パワーに比べて特に低い場合、Ｄ／Ａコンバータの分解能は同じため、予め設定された基準電圧値に対する発光パワーの誤差は大きくなる。
【０００３】
つまり、発光が粗くなることを示している。例えば、最大パワーが５０ｍＷであるときに記録パワーを１０ｍＷとして記録させようとすると、単純に誤差は５０ｍＷで発光させるときに比べて５倍になってしまう。
このように発光パワーが粗くなってしまうということは、記録品質が落ちることを指し、したがって低パワーでは記録品質が落ちてしまうことになる。
以前のように記録スピードが低く、最大発光パワーが高くないときは殆ど設定誤差はなく、発光パワーの違いによって発光パワーが粗くなるといった問題はなかったが、これからはむしろこのような課題が増えてくることが予想される。
従来の光ディスク装置では、レーザダイオード（ＬＤ）駆動電流の設定を微分効率によって変化させるステップを変えることにより、微分効率が変わった場合でも例えば高い発光パワー側だけでみると正確に設定することができる（例えば、特許文献１参照）。
【特許文献１】特開平１１−２９６８８６号公報
【発明の開示】
【発明が解決しようとする課題】
【０００４】
しかしながら、従来の光ディスク装置では、ＬＤ駆動電流の設定を微分効率によって変化させるステップを変えるため、もし微分効率が変わった場合でも例えば高い発光パワー側だけでみると正確に設定することはできるが、低い発光パワーの場合には設定誤差が大きくなるためにステップを変えても正確な設定値にいきつくことができなくなってしまうという問題があった。
すなわち、高い発光パワーで発光できる場合に低い発光パワーを設定しようとしても設定誤差が大きいために正確な設定を行うことができないという問題があった。
この発明は上記の点に鑑みてなされたものであり、記録媒体への情報の記録時のレーザ光の発光パワーが異なる場合において設定誤差をなくして記録品質を落とさずに記録を行うことができるようにすることを目的とする。
【課題を解決するための手段】
【０００５】
この発明は上記の目的を達成するため、次の（１）〜（４）の光ディスク装置を提供する。
（１）記録媒体に照射するレーザ光を発光する発光手段と、その発光手段から発光されるレーザ光の発光パワーを少なくとも第１の光量レベルとその第１の光量レベルよりも大きいレベルである第２の光量レベルとの２つ以上の光量レベルになるように上記発光手段に電流信号を供給してレーザ光を発光駆動させる発光駆動手段と、上記発光手段によって発光されたレーザ光の発光パワーを検出する発光パワー検出手段と、その発光パワー検出手段によって検出された発光パワーの電流信号を電圧信号に変換する電流電圧変換手段と、その電流電圧変換手段によって変換された電圧信号のレベルと予め設定された基準電圧レベルとを比較する比較手段と、その比較手段による比較結果に応じた電圧信号によって上記発光駆動手段が上記発光手段に供給する電流信号を調整して上記発光手段が発光するレーザ光の発光パワーの光量レベルを調整する光量レベル調整手段を有し、上記光量レベル調整手段に、上記発光手段の微分効率を求め、その微分効率に基づいて上記発光駆動手段への電圧信号の最大設定値を変更する電圧信号最大設定値変更手段を設けた光ディスク装置。
【０００６】
（２）上記（１）の光ディスク装置において、微分効率測定用の記録媒体へレーザ光の焦点を合わせない場合の非合焦時微分効率に対する前記微分効率測定用の記録媒体へレーザ光の焦点を合わせた場合の合焦時微分効率を求めるための演算情報を予め求めて記憶する演算情報記憶手段を設け、上記電圧信号最大設定値変更手段を、上記記録媒体へのレーザ光の焦点を合わせないとき、上記発光手段の微分効率の初期値を求め、その求めた微分効率の初期値と上記演算情報記憶手段から取得した演算情報とに基づいて上記発光手段の微分効率を求め、その求めた微分効率に基づいて上記発光駆動手段への電圧信号の最大設定値を変更する手段にした光ディスク装置。
（３）上記（２）の光ディスク装置において、上記発光手段の微分効率を、上記記録媒体への情報記録前に求めるようにした光ディスク装置。
（４）上記（２）の光ディスク装置において、上記発光手段の微分効率を、上記記録媒体に情報を記録中に求めるようにした光ディスク装置。
【０００７】
また、次の（５）〜（８）のレーザパワー調整装置も提供する。
（５）記録媒体に照射するレーザ光を発光する発光手段に電流信号を供給して上記レーザ光の発光パワーを少なくとも第１の光量レベルとその第１の光量レベルよりも大きいレベルである第２の光量レベルとの２つ以上の光量レベルになるように発光駆動させる発光駆動手段と、上記発光手段によって発光されたレーザ光の発光パワーを検出する発光パワー検出手段と、その発光パワー検出手段によって検出された発光パワーの電流信号を電圧信号に変換する電流電圧変換手段と、その電流電圧変換手段によって変換された電圧信号のレベルと予め設定された基準電圧レベルとを比較する比較手段と、その比較手段による比較結果に応じた電圧信号によって上記発光駆動手段が上記発光手段に供給する電流信号を調整して上記発光手段が発光するレーザ光の発光パワーの光量レベルを調整する光量レベル調整手段を有し、上記光量レベル調整手段に、上記発光手段の微分効率を求め、その微分効率に基づいて上記発光駆動手段への電圧信号の最大設定値を変更する電圧信号最大設定値変更手段を設けたレーザパワー調整装置。
【０００８】
（６）上記（５）のレーザパワー調整装置において、微分効率測定用の記録媒体へレーザ光の焦点を合わせない場合の非合焦時微分効率に対する上記微分効率測定用の記録媒体へレーザ光の焦点を合わせた場合の合焦時微分効率を求めるための演算情報を予め求めて記憶する演算情報記憶手段を設け、上記電圧信号最大設定値変更手段を、上記記録媒体へのレーザ光の焦点を合わせないとき、上記発光手段の微分効率の初期値を求め、その求めた微分効率の初期値と上記演算情報記憶手段から取得した演算情報とに基づいて上記発光手段の微分効率を求め、その求めた微分効率に基づいて上記発光駆動手段への電圧信号の最大設定値を変更する手段にしたレーザパワー調整装置。
（７）上記（６）のレーザパワー調整装置において、上記発光手段の微分効率を、上記記録媒体への情報記録前に求めるようにしたレーザパワー調整装置。
（８）上記（６）のレーザパワー調整装置において、上記発光手段の微分効率を、上記記録媒体に情報を記録中に求めるようにしたレーザパワー調整装置。
【０００９】
さらに、次の（９）〜（１２）のレーザパワー調整方法も提供する。
（９）記録媒体に照射するレーザ光を発光する発光手段に電流信号を供給して上記レーザ光の発光パワーを少なくとも第１の光量レベルとその第１の光量レベルよりも大きいレベルである第２の光量レベルとの２つ以上の光量レベルになるように発光駆動させる発光駆動工程と、上記発光手段によって発光されたレーザ光の発光パワーを検出する発光パワー検出工程と、その発光パワー検出工程によって検出された発光パワーの電流信号を電圧信号に変換する電流電圧変換工程と、その電流電圧変換工程によって変換された電圧信号のレベルと予め設定された基準電圧レベルとを比較する比較工程と、その比較工程による比較結果に応じた電圧信号によって上記発光駆動工程による上記発光手段に供給する電流信号を調整して上記発光手段が発光するレーザ光の発光パワーの光量レベルを調整する光量レベル調整工程と、上記発光手段の微分効率を求め、その微分効率に基づいて上記発光駆動工程で出力する電圧信号の最大設定値を変更する電圧信号最大設定値変更工程とからなるレーザパワー調整方法。
【００１０】
（１０）上記（９）のレーザパワー調整方法において、微分効率測定用の記録媒体へレーザ光の焦点を合わせない場合の非合焦時微分効率に対する上記微分効率測定用の記録媒体へレーザ光の焦点を合わせた場合の合焦時微分効率を求めるための演算情報を予め求めて記憶する演算情報記憶工程を設け、上記電圧信号最大設定値変更工程を、上記記録媒体へのレーザ光の焦点を合わせないとき、上記発光手段の微分効率の初期値を求め、その求めた微分効率の初期値と上記演算情報記憶工程によって記憶された演算情報とに基づいて上記発光手段の微分効率を求め、その求めた微分効率に基づいて上記発光駆動工程によって出力する電圧信号の最大設定値を変更する工程にしたレーザパワー調整方法。
（１１）上記（１０）のレーザパワー調整方法において、上記発光手段の微分効率を、上記記録媒体への情報記録前に求めるレーザパワー調整方法。
（１２）上記（１０）のレーザパワー調整方法において、上記発光手段の微分効率を、上記記録媒体に情報を記録中に求めるレーザパワー調整方法。
【発明の効果】
【００１１】
この発明による光ディスク装置とレーザパワー調整装置とレーザパワー調整方法は、記録媒体への情報の記録時のレーザ光の発光パワーが異なる場合において設定誤差をなくして記録品質を落とさずに記録を行うことができる。
【発明を実施するための最良の形態】
【００１２】
この発明では、微分効率に応じてレーザダイオード駆動手段への電圧信号の最大設定値（以下「電圧最大設定値」と呼ぶ）を変更する（変える）ようにする。
電圧最大設定値が変わることで設定誤差もなくすことができ、かつ微分効率によって変えることでＬＤ駆動電流の最大値としてはできるだけ多く流し、さらに分解能がかわるので設定誤差もできるだけ小さくすることができる。
ところで、記録媒体（光ディスク）に対する情報のリード（読み出し）やライト（書き込み）を行う際に、光ディスクのトラックにレーザ光を当てて焦点を合わせ（合焦）、焦点が合った状態にレンズを制御し（以下「フォーカスサーボオン」という）、さらにデータ（情報）が書かれている溝にレーザ光を追従させるようにレンズを制御する（以下「トラッキングオン」という）。
【００１３】
また、通常は微分効率を求めるためにはいくつかの種類の発光パワーで発光させ、そのときのＡＰＣで求まったＬＤ駆動電流値、つまりＤ／Ａコンバータの値から１次近似式を求めてその傾きを微分効率とする。
このとき、フォーカスサーボがオン状態では実際に光ディスクに記録を行ってしまうため、フォーカスサーボがオンする前に微分効率を求める。
しかし、実際はフォーカスサーボオンとフォーカスサーボオフで微分効率が変わってしまうため、予め実験等でフォーカスサーボオンとフォーカスサーボオフでどれくらい微分効率が異なるかを求めておく。
そこで、その値から実際に光ディスクへの記録時にどのような微分効率になるかがわかり、その微分効率から電圧最大設定値を決めるため、より精度よく、適切な発光パワーを設定できるようになる。
【００１４】
また、一般的に光ディスクに記録をする前に最適な記録パワー（最適記録パワー）を求める（以下「ＯＰＣ」という）。このとき、設定するＬＤ駆動電流は上記フォーカスサーボオン／フォーカスサーボオフを考慮して設定されたものであるが、ＯＰＣで発光したときの微分効率の方がこの後に行われる実記録時の微分効率に近い。
したがって、そのＯＰＣで記録を行ったときに求めた微分効率から電圧最大設定値を決めることにより、より精度よく、適切な発光パワーを設定できるようになる。
【００１５】
さらに、実記録が開始されたときはそのＯＰＣの場合などと異なり、同じ発光パワーで書き続けているので温度上昇が大きいため、微分効率が高くなる。
もし、これが短時間ならあまり問題にならないが、もし長い時間記録を行った場合に微分効率の変動が大きくなる。ある期間毎にＡＰＣをかけている間に変動したＬＤ駆動電流設定値を比べることによって記録開始からの微分効率の変化もわかる。
そこで、光ディスクへのデータの記録時にも微分効率をそのときのＬＤ駆動電流の設定値から設定し直し、そのときの微分効率から電圧最大設定値を決めることにより、より精度よく、適切な発光パワーを設定できるようになる。
【００１６】
〔実施例１〕
以下、この発明の実施例を図面に基づいて具体的に説明する。
光ディスク装置における光ディスク（記録媒体）へのデータの記録は、例えば追記録可能な記録媒体であるＣＤ−ＲディスクではＣＤ−Ｒディスク上の記録膜にレーザ光の発光手段（光源）であるレーザダイオード（以下「ＬＤ」とする）から発光される強いレーザ光量のレーザ光を光ビームとして照射し、その熱反応によって光ディスクに穴（ピット）を開けることにより行われる。
また、再記録可能な記録媒体であるＣＤ−ＲＷディスクでは記録膜の結晶状態を変化させることによって行われる。
【００１７】
図３は、ＣＤ−Ｒディスクの記録時のレーザ光の発光パワーの変化の一例を示す波形図である。
図３において時間ｔライトスタートより前が光ディスクからデータを再生（リード）するときの発光波形であり、時間ｔライトスタートより後が光ディスクにデータを記録（ライト）するときの発光波形であり、ＬＤからは第１の光量レベル（第１の発光パワー）Ｐ１と第１の光量レベルＰ１よりも高いレベルの第２の光量レベル（第２の発光パワー）Ｐ２のレーザ光が繰り返し出射される。
この第２の光量レベルＰ２が記録パワー（記録時の発光パワー）であり、第２の光量レベルＰ２で発光したときに記録膜にピットを開けることができる。
また、第１の光量レベルＰ１は再生パワーであり、第１の光量レベルＰ１レベルのところがそのままスペースとなる。
【００１８】
なお、第３の光量レベルＰ３＞第２の光量レベルＰ２を満たす第３の光量レベルＰ３を設けて、第１の光量レベルＰ１，第２の光量レベルＰ２，第３の光量レベルＰ３の３値の発光パワーで記録時の発光波形を生成することがある。第３の光量レベルＰ３をピット先頭に位置付けるようにして、ピットエッジを先鋭化している。
【００１９】
また、ＣＤ−ＲＷディスクのような相変化型の書き換え可能な記録媒体では、元々３値を設け、第３の光量レベルＰ３と第１の光量レベルＰ１を高速で繰り返すことで記録面を非結晶化し、第２の光量レベルＰ２を持続させることで記録面を結晶化させる。
光ディスクのデータを再生するとき、ＬＤから発光されるレーザ光の発光パワーは低くてＤＣ発光であり、一般的に第１の光量レベルＰ１は１ｍＷほどである。
一方、記録時にＬＤから発光されるレーザ光の発光パワーは高く、第２の光量レベルＰ２は一般に数ｍＷ〜数１０ｍＷである。
図４は、ＺＣＬＶにおけるゾーンの区分けを示す説明図である。
例えば、ＣＤ−Ｒディスクに１２倍速（１２ｘ）でデータ記録させる場合、記録時の発光パワー（記録パワー）は再生時の発光パワー（再生パワー）に対して３０倍くらいになる場合もある（例えば再生パワーが１ｍＷの時に記録パワーが３０ｍＷ）。
【００２０】
しかし、近年は再生速度も記録速度も共に上昇しつつあり、記録速度は上記１２ｘよりも速い３２ｘや４０ｘになるものもある。そのため、このような速度で記録を行う場合、再生パワーに対して３０倍よりも大きくなっている。
ところで、光ディスクへ高速でデータ記録ができるようになるにつれて、光ディスク（記録媒体，光記録媒体）も高速対応用というモデルも出てきている。メーカが同じでも高速対応・非対応のメディアそれぞれにメディアコードが予め埋め込んであり、そのメディアコードを検出することができるような仕組みが光ディスク装置にあればどのメーカのもので、どういった種類のメディアかを判断することができる。
【００２１】
また、ＣＤ−Ｒディスクは線密度一定であるが、このようなメディアでは線速度一定（以下「コンテント・リニア・ベロシティ（Ｃｏｎｓｔａｎｔ  Ｌｉｎｅａｒ  Ｖｅｌｏｃｉｔｙ）」と呼ぶ）で回転させながら記録するのが普通であった。
この場合、記録媒体とレーザ光（レーザビーム）との相対速度がいつも一定なので、設定する発光パワー（記録パワー）や記録パルス幅等の記録条件は記録の前に決めておく。
なお、記録パルス幅は使用メディア毎に予め決めておくものであるが、設定する記録パワーは最内周部の特定の領域で発光パワーを振って試し書きを行い、それで決定した最適記録パワーを用いて、同じ線速度で全面記録して問題はない。
【００２２】
このようにして最適記録パワーを求めることを、一般的にオプティマム・パワー・キャリブレーション（以下「ＯＰＣ（Ｏｐｔｉｍｕｍ  Ｐｏｗｅｒ  Ｃａｌｉｂｒａｔｉｏｎ）」という）と呼ぶ。
なお、このＯＰＣの方法に関しては公知技術なのでここでは詳述しない。
ところで、ＬＤはその特性として、自らの発振による温度上昇等によってその発光パワーが変化するので、光ディスク装置等において受光素子でＬＤ出力をモニタしながらＬＤを駆動する電流を制御しないと時間が経つにつれて発光パワーが変わってしまう。
したがって、一般的に記録時のように高い発光パワーで発光させるような光ディスク装置ではＬＤの発光パワーを一定に制御するような回路が必要である。
これを自動パワーコントロール（以下「ＡＰＣ（ＡｕｔｏＰｏｗｅｒＣｏｎｔｒｏｌ（）」という）いうものである。
【００２３】
図２は、この発明の光ディスク装置の一実施例である光ディスクドライブの構成を示すブロック図である。
この光ディスクドライブは、上記光ディスク装置に相当する。
光ディスク２８は、ディスク基板上にデータ列をピットと呼ばれる穴の有無で表現するＭＯ，ＭＤ，ＣＤ（Ｃｏｍｐａｃｔ  Ｄｉｓｃ），ＣＤ−ＲＯＭディスク，ＣＤ−Ｒディスク，ＣＤ−ＲＷディスク，ＤＶＤディスク等の光ディスク（記録媒体）であり、これにレーザ光をあてて、その反射光変化でデータを読み取る。このデータ列はレコードの様にディスク基板上に螺旋状に並べられている。この螺旋状に配された線をトラックと呼んでおり、隣り合うトラック間の距離は１．６ミクロンである。
さて、光ディスク２８はスピンドルモータ（Ｓｐｉｎｄｌｅ  Ｍｏｔｏｒ）１０によって回転駆動される。
【００２４】
スピンドルモータ１０は、モータドライバ（Ｍｏｔｏｒ  Ｄｒｉｖｅｒ）１２とサーボ（Ｓｅｒｖｏ）１４により一定速度になるように制御される。
光ピックアップ部（Ｐｉｃｋ  Ｕｐ）１１は、公知技術なので図示を省略したレーザダイオード（Ｌａｓｅｒ  Ｄｉｏｄｅ），光学系（レンズ等），フォーカスアクチュエータ（レーザ光の焦点が光ディスク２８に合うようにレンズの位置を光ディスク２８と垂直方向に動かす機構），トラックアクチュエータ（レーザ光の焦点がトラックをトレースするように光ディスク２８の半径方向（スレッジ方向）にレンズを動かす機構），受光素子及びポジションセンサ等を内蔵したものであり、レーザ光を光ディスク２８に照射する。
また、光ピックアップ部１１全体はシークモータ（公知なので図示省略）によりスレッジ方向に移動可能である。
【００２５】
これらフォーカスアクチュエータ，トラックアクチュエータ，シークモータは、受光素子，ポジションセンサから得られた信号に基づいてモータドライバ１２とサーボ１４によりレーザースポットが目的の場所に位置するように制御される。
光ディスク２８からのデータ読み出し（データのリード）の場合、光ピックアップ部１１で得られた再生信号はリードアンプ（Ｒｅａｄａｍｐ）１３で増幅されてイコライザ処理や２値化（デジタル化）された後、ＣＤデコーダ（ＣＤ  Ｄｅｃｏｄｅｒ）１５に入力されてＥＦＭ復調される。ＥＦＭとはエイト・トゥ・フォーティーン・モジュレーション（Ｅｉｇｈｔ  ｔｏ  Ｆｏｕｒｔｅｅｎ  Ｍｏｄｕｌａｔｉｏｎ）の略であり、光ディスク２８には光学的に再生または記録しやすいように８ｂｉｔデータを１４ｂｉｔのデータに変調したデータが書かれている。ＥＦＭ復調されたデータはデインタリーブ（並べ替え直し）とエラー訂正の処理を受ける。
【００２６】
その後、このデータはバッファマネージャ（Ｂｕｆｆｅｒ  Ｍａｎａｇｅｒ）２１により一旦バッファＲＡＭ（Ｂｕｆｆｅｒ  ＲＡＭ）２０に蓄えられ、セクタデータとしてそろった段階でＡＴＡＰＩやＳＣＳＩ等のインタフェース（Ｉ／Ｆ）２３を介してホストコンピュータに一気に送られる。
【００２７】
音楽データの場合、ＣＤデコーダ１５から出てきたデータはＤ／Ａコンバータ２４に入力されてアナログのオーディオ信号が取り出される。
光ディスク２８へのデータ書き込み（データのライト）時は、Ｉ／Ｆ２３を通してホストコンピュータから送られてきたデータを、バッファマネージャ２１により一旦バッファＲＡＭ２０に蓄え、バッファＲＡＭ２０にある程度量のデータが貯まったところで書き込みを開始するが、その前にレーザースポットを書き込み開始地点に位置させなければならない。この地点はトラックの蛇行により予め光ディスク２８に刻まれているウォブル信号により求められる。
【００２８】
ウォブル信号にはＡＴＩＰと呼ばれる絶対時間情報が含まれており、ＡＴＩＰデコーダ１６によりこの情報が取り出せる。
また、ＡＴＩＰデコーダ１６が生成する同期信号はＣＤエンコーダ１８に入力されて正確な位置でのデータの書き出しを可能にしている。
バッファＲＡＭ２０のデータはＣＤ−ＲＯＭエンコーダ１９やＣＤエンコーダ１８でエラー訂正コードの不可やインターリーブ（並べ替え）が行われた後にＥＦＭ変調され、レーザコントローラ（Ｌａｓｅｒ  Ｃｏｎｔｒｏｌｌｅｒ，レーザーコントロール回路）１７，光ピックアップ部１１を介して光ディスク２８に記録される。
【００２９】
図１は、図２に示したレーザコントローラ１７の内部構成をＬＤ及び受光素子（ＰＤ）と共に示す機能ブロック図である。
このレーザコントローラ１７は、上記レーザパワー調整装置に相当し、上記ＡＰＣを実現するＡＰＣ部（ＡＰＣ回路）３０とＬＤドライバ部３１とからなり、上記ＡＰＣの実現とこの発明に係る各機能を実現する。
図１においてＰＤ（上記発光パワー検出手段に相当する）に入射されたレーザ光は光電変換により光量に比例した電流信号で出力される。ただし、上記ＰＤによるモニタはＬＤ（上記発光手段に相当する）からのレーザ光の一部をモニタするのであり、レーザ光の大部分は光ディスク２８の記録膜へ照射される。
【００３０】
次に、ＰＤから出力された電流信号はＩ／Ｖ変換器（Ｉ／Ｖ変換回路、上記電流電圧変換手段に相当する）３２により電流を電圧に変換されて電圧信号として出力される。
上記出力される電圧信号において第１の光量レベルＰ１に対応したものを第１の電圧信号Ｖ（Ｐ１）とし、第２の光量レベルＰ２に対応したものを第２の電圧信号Ｖ（Ｐ２）とする。
データ記録時における出力は再生時と異なり、第１の電圧信号Ｖ（Ｐ１）と第２の電圧信号Ｖ（Ｐ２）が交互に変化する信号のため、Ｉ／Ｖ変換器３２から出力された電圧信号は、第１のサンプルホールド（Ｓ／Ｈ）回路３３と第２のサンプルホールド（Ｓ／Ｈ）回路３４によってそれぞれ第１の電圧信号Ｖ（Ｐ１）と第２の電圧信号Ｖ（Ｐ２）に分離される。
【００３１】
また、第１のＳ／Ｈ回路３３における第１のサンプル信号はデータ再生時は常に第１のＳ／Ｈ回路３３内のスイッチ（ＳＷ）１をオン（ＯＮ）にする信号であり、データ記録時は記録時の第１の光量レベルＰ１でレーザ光が出射されている期間、あるいはそれより短い期間のみ第１のＳ／Ｈ回路３３内のＳＷ１をオン（ＯＮ）とし、また、第２の光量レベルＰ２でレーザ光が出射されている期間は第１のＳ／Ｈ回路３３内のＳＷ１をオフ（ＯＦＦ）にし、第１のＳ／Ｈ回路３３内のコンデンサＣで第１の光量レベルＰ１に対応した電圧信号Ｖｓ（Ｐ１）のみ取り出すようにコントロールしている。
【００３２】
一方、第２のサンプル信号はデータ再生時は常に第２のサンプルホールド（Ｓ／Ｈ）回路３４内のスイッチ（ＳＷ）２をオフ（ＯＦＦ）にする信号であり、データ記録時は第２の光量レベルＰ２でレーザ光が出射されている期間、あるいはそれより短い期間のみ第２のＳ／Ｈ回路３４内のＳＷ２をオン（ＯＮ）にし、データ記録時に第１の光量レベルＰ１で出射されている期間は第２のＳ／Ｈ回路３４内のＳＷ２をオフ（ＯＦＦ）にし、第２のＳ／Ｈ回路３４内のコンデンサＣで第２の光量レベルＰ２に対応した電圧信号Ｖｓ（Ｐ２）のみ取り出すようにコントロールする信号である。
【００３３】
次に、第１のＳ／Ｈ回路３３と第２のＳ／Ｈ回路３４によってＩ／Ｖ変換器３２の出力する電圧信号から分離された各電圧信号Ｖｓ（Ｐ１）及びＶｓ（Ｐ２）はそれぞれ第１のコンパレータ３５と第２のコンパレータ３６に入力される。
第１のコンパレータ３５では電圧信号Ｖｓ（Ｐ１）と第１の基準電圧値（Ｖｒｅｆ１，上記基準電圧レベルに相当する）を比較し、同様に第２のコンパレータ３６では電圧信号Ｖｓ（Ｐ２）と第２の基準電圧値（Ｖｒｅｆ２，上記基準電圧レベルに相当する）を比較している。すなわち、この第１のコンパレータ３５と第２のコンパレータ３６が上記比較手段に相当する。
【００３４】
第１のコンパレータ３５と第２のコンパレータ３６からは入力された電圧信号が基準電圧値に対して大きいか小さいかのみを示す信号、つまり２値の値（デジタル値）が出力され、ＣＰＵ３７が読み込む。
ＣＰＵ３７は、デジタル値をアナログ値に変換する第１のＤ／Ａコンバータ３８へデータを送り、第１のＤ／Ａコンバータ３８はその入力されたデータに比例した電圧信号をＬＤドライバ部３１へ出力する。また、第２のＤ／Ａコンバータ３９にもデータを送り、第２のＤ／Ａコンバータ３９はその入力されたデータに比例した電圧信号をＬＤドライバ部３１へ出力する。すなわち、ＣＰＵ３７と第１のＤ／Ａコンバータ３８と第２のＤ／Ａコンバータ３９は上記光量レベル調整手段の機能を果たす。
【００３５】
さらに、第１のＤ／Ａコンバータ３８から出力された電圧信号は第１のＶ／Ｉ変換器４０に入力され、第１のＶ／Ｉ変換器４０によってその電圧信号に比例した電流信号を第１の電流増幅器４２へ送り、第１の電流増幅器４２はその電流信号を増幅して出力する。
また、第２のＤ／Ａコンバータ３９から出力された電圧信号は第２のＶ／Ｉ変換器４１に入力され、第２のＶ／Ｉ変換器４１によってその電圧信号に比例した電流信号を第２の電流増幅器４３へ送り、第１の電流増幅器４２はその電流信号を増幅して出力する。
すなわち、第１のＶ／Ｉ変換器４０と第２のＶ／Ｉ変換器４１は、光量レベル調整手段から発光駆動手段に出力する電圧信号を電流信号に変換して出力する電圧電流変換手段の機能を果たし、第１の電流増幅器４２と第２の電流増幅器４３と上記電圧電流変換手段から出力される電流信号を増幅する電流増幅手段の機能を果たす。
【００３６】
そして、データ再生時はＬＤオン（ＬＤ  ＯＮ）信号をオン（ＯＮ）にしてスイッチ（ＳＷ）３をオンにし、第１の電流増幅器４２から出力される電流信号が電流加算器４４を介してＬＤへ流れてＬＤから第１の光量レベルＰ１のレーザ光として発光される。
また、データ記録時はライトパルス重畳信号もオン（ＯＮ）にしてスイッチ（ＳＷ）４をオンにし、電流加算器４４で第１の電流増幅器４２から出力される電流信号と第２の電流増幅器４３から出力される電流信号とが加算されてＬＤに流れていき、この電流信号によってＬＤからは第２の光量レベルＰ２のレーザ光として発光される。
ところで、ディジタルＡＰＣ制御時、データ再生開始時はＣＰＵ３７は、まず第１のＤ／Ａコンバータ３８に“０”を出力する。これによりＬＤの発光パワー分の電流信号は“０”からスタートとなる。
【００３７】
そして、ＣＰＵ３７は第１のＤ／Ａコンバータ３８に出力するデータを徐々に増加させながら、第１のコンパレータ３５の出力が反転する（つまり電圧信号Ｖｓ（Ｐ１）が第１の基準電圧値Ｖｒｅｆ１より大になる）まで増加させる。
その後、第１のコンパレータ３５の出力が常に反転を繰り返すように（つまりＶｓ（Ｐ１）＝Ｖｒｅｆ１となるように）、第１のＤ／Ａコンバータ３８に出力するデータを常に可変する。これにより、ＬＤから出射されるレーザ光の再生時の発光パワーは一定レベルに保たれ、光量レベルも一定になる。
【００３８】
図５は、上記ディジタルＡＰＣ制御時の第１のＳ／Ｈ回路３３と第１のコンパレータ３５の出力信号波形を示す図であり、ＬＤから出射されるレーザ光の再生時の発光パワーが一定レベルに保たれる様子を示している。
また、上述と同様にしてデータ記録開始時から記録時の発光パワーのレベルも一定に保たれ、光量レベルも一定になる。
【００３９】
図６は、上記ディジタルＡＰＣ制御時の第２のＳ／Ｈ回路３４と第２のコンパレータ３６の出力信号波形を示す図であり、ＬＤから出射されるレーザ光の記録時の発光パワーが一定レベルに保たれる様子を示している。
データ再生発光時には、ＣＰＵ３７は第２のＤ／Ａコンバータ３９の出力を“０”にしておく。
次に、記録発光が開始されるとＣＰＵ３７は第２のＤ／Ａコンバータ３９に出力するデータを１ずつ乃至は所定数ずつあげていく。
それに伴い、第２のＤ／Ａコンバータ３９の出力する電圧信号に比例した電流信号がＬＤに記録時の発光パワーの電流信号として第１のＤ／Ａコンバータ３８の出力する電圧信号に比例した電流信号に重畳されるため、これをモニタして、第２のＳ／Ｈ回路３４でサンプルホールドした電圧信号も所定量ずつ増加していく。
【００４０】
そして、やがて第２のＳ／Ｈ回路３４の出力する電圧信号が第２の基準電圧値Ｖｒｅｆ２を超えると第２のコンパレータ３６の出力が反転する。反転するとＣＰＵ３７は、その前とは逆方向に動かしたデータを第２のＤ／Ａコンバータ３９に送出する。
これによりＬＤの電流が減少し、また、第２のＤ／Ａコンバータ３９が反転する。反転するとＣＰＵ３７は、その前とは逆方向にデータを第２のＤ／Ａコンバータ３９に送出するという具合にＣＰＵ３７は第２のＤ／Ａコンバータ３９を操作し、常に第２のＳ／Ｈ回路３４の出力する電圧信号と第２の基準電圧値Ｖｒｅｆ２がまたぎあうように操作する（このまたぎあう状態を「整定状態」という）。
このようにして、ＬＤからほぼ一定の第２の光量レベルＰ２のレーザ光が出射されることになる。
【００４１】
図１では特に基準電圧と比較して基準電圧になるようにＶ／Ｉ変換器へ電圧を制御するＣＰＵ３７までをＡＰＣ部３０とした。
以上により構成されたフィードバックループにより、基準電圧により決定される一定パワーのレーザ光がＬＤから発光されることとなる。
なお、第１のコンパレータ３５の第１の基準電圧値と第１の光量レベルＰ１又は第２の光量レベルＰ２の関係は製造工程などにおいて、例えば関係式のかたちで予め求めておくとよい。このとき、予め求めておいた関係式が実際のデータ記録時のパワー制御等に用いられる。
つまり、ＬＤから出射するレーザ光の発光パワーを可変したい場合は、ある所定の発光パワーに対する基準電圧値を設定することによりその発光パワーで発光できることから、この基準電圧値を可変することで実現できる。
【００４２】
この回路構成はＣＰＵとＤ／Ａコンバータ等を用いた、いわゆるディジタル制御である。
しかし、ＡＰＣはこのようなディジタル制御だけではなく、Ｓ／Ｈ回路からの信号が誤差増幅器等に入力され、誤差増幅器等で基準電圧と比較され基準電圧に対してずれを生じているときに誤差増幅器はずれを補正するような電圧をＶ／Ｉ変換器に出力することでもパワー制御できる。これはＣＰＵとＤ／Ａコンバータに対するディジタル制御に対してアナログ制御と呼ばれる。
このように、アナログ制御でもディジタル制御でもＬＤ発光パワーをモニタして第１の光量レベルＰ１，第２の光量レベルＰ２といったレベルを基準電圧値と比較して基準電圧値になるようにＬＤへの駆動電流を制御するといった点では同じ動作である。
【００４３】
ところで、図７はレーザの駆動電流対発光パワー特性の関係例を示す図であるが、この図７からも分かるとおり、ＬＤからの発光パワーとＬＤ駆動電流はあるしきい値Ｉｔｈより上では１次関数的になっている。
このＬＤ駆動電流に対する発光パワーの関係を１次関数としたときの傾きを微分効率とよぶ。
そこで、例えばＡＰＣ制御中における微分効率を求める場合、少なくとも２つの設定した発光パワーで発光させたときに、それぞれの発光パワーにおいて整定状態となったＤ／Ａコンバータの値により求めることができる。
上述したように発光パワーが変化するというのは、同じ電流値でもＬＤの特性上発光パワーが変わることを指し、つまり微分効率が変わることを意味する。
したがって、同じ発光パワーでも微分効率が小さい場合はＬＤ駆動電流が多く必要となり、微分効率が大きい場合はＬＤ駆動電流は少なくてすむ。
【００４４】
そこで、微分効率が変わった場合は同じ発光パワーで発光させるためにはＬＤ駆動電流の設定、つまり上記Ｄ／Ａコンバータの設定を変えなくてはならない。
ところで、整定状態になると２値がくり返されることになるが、もともとのＤ／Ａコンバータの分解能が粗い場合、分解能が細かい場合に比べて誤差が大きくなる。
つまり、設定誤差はこの基準電圧の設定のためのＤ／Ａコンバータの分解能により決定されてしまう。
Ｄ／Ａコンバータで設定できる電圧は、例えばそのＤ／Ａコンバータの仕様が８ｂｉｔであれば設定できる電圧幅を２＾８＝２５６に分けることができ、さらに１０ｂｉｔであれば２＾１０＝１０２４に分けることができる。
【００４５】
したがって、電圧最大設定値はここでは上記電圧幅の最大値にあたり、このｂｉｔ数が大きければ大きいほど分解能は細かくなるが、ｂｉｔ数が大きいほどコストが高くなってしまうため、分解能が粗いＤ／Ａコンバータを使用しなければならない可能性も出てくる。
もちろん、電圧最大設定値が大きければ大きいほどＬＤ駆動電流が大きくなるので、近年では設定最大値が大きくなってきている。
【００４６】
次にＬＤの発光波形について説明する。
各スイッチの制御信号、つまり第１のサンプル信号，第２のサンプル信号，ライトパルス重畳信号は、図２に示すＣＤエンコーダ１８によって出力される信号である。
【００４７】
次に、上記レーザコントローラ１７における電圧信号最大設定値変更機能について説明する。上記第１のＤ／Ａコンバータ３８と第２のＤ／Ａコンバータ３９は設定できる電圧信号の最大値をＣＰＵ３７によって可変できるようになっており、この最大値をどれくらいにするかはＣＰＵ３７が設定する。
また、第１のＤ／Ａコンバータ３８と第２のＤ／Ａコンバータ３９は、例えば１００ＬＳＢや５００ＬＳＢと予め仕様で決められているものであり、当然この値が大きいほど分解能は細かくなる。
【００４８】
図８は、図１に示す光ディスクドライブの製造前又は製造工程時の処理と上記レーザコントローラ１７における電圧信号最大設定値変更処理とを示すフローチャート図である。
上記ＣＰＵ３７は、上記比較手段による比較結果に応じた電圧信号によって上記発光駆動手段が上記発光手段に供給する電流信号を調整して上記発光手段が発光するレーザ光の発光パワーの光量レベルを調整する光量レベル調整手段と、上記発光手段の微分効率を求め、その微分効率に基づいて上記発光駆動手段への電圧信号の最大設定値を変更する電圧信号最大設定値変更手段の機能を果たす。
【００４９】
また、微分効率測定用の記録媒体へレーザ光の焦点を合わせない場合の非合焦時微分効率に対する上記微分効率測定用の記録媒体へレーザ光の焦点を合わせた場合の合焦時微分効率を求めるための演算情報を予め求めて記憶する演算情報記憶手段と、上記記録媒体へのレーザ光の焦点を合わせないとき、上記発光手段の微分効率の初期値を求め、その求めた微分効率の初期値と上記演算情報記憶手段から取得した演算情報とに基づいて上記発光手段の微分効率を求め、その求めた微分効率に基づいて上記発光駆動手段への電圧信号の最大設定値を変更する電圧信号最大設定値変更手段の機能も果たす。
【００５０】
まず、図８のステップ（図中「Ｓ」で示す）１で予め実験などで微分効率測定用の光ディスクへレーザ光の焦点を合わせない場合（フォーカスオフ）の非合焦時微分効率に対する上記微分効率測定用の光ディスクへレーザ光の焦点を合わせた場合（フォーカスオン）の合焦時微分効率を求めるための演算情報であるフォーカスオンとフォーカスオフの微分効率の関係式を求めておく。この時の関係式の値はＣＰＵ３７のファームウェア（Ｆ／Ｗ）に予め書いておくとよい（演算情報記憶工程）。あるいは、ＣＰＵ３７が読み出して実行可能なＲＯＭ又はＲＡＭ等のメモリ（図２ではＣＰＵ３７に設けた場合を示しており図示を省略）に記憶しておいてもよい。なお、これに際しできるだけ多くの光ディスクドライブからデータを採ることが望ましい。さらに、ステップ２で光ディスクドライブの製造工程において基準電圧値と発光パワーの関係式のパラメータを測定して求めておく。
【００５１】
次に、光ディスクを使用して記録を行うためフォーカスサーボオン、さらにトラッキングサーボオンさせてその光ディスクがどのタイプのものかを判定するが、このフォーカスサーボオンの前に、ステップ３でフォーカスオフ状態（レーザ光の焦点を合わせない場合）で記録時の２つ異なる発光パワーで発光させてその２つの異なる発光パワーを通る１次近似式から傾きを求め、その傾きを微分効率ηｉｎｉとする。すなわち、微分効率ηｉｎｉは光ディスクへレーザ光の焦点を合わせない場合に求めたＬＤの微分効率の初期値に相当する。
なお、ここでは発光パワーを異なる２つ（２点）の場合を示したが、この数も多くしてもいいし、小さい発光パワーから大きな発光パワーまで幅広くいくつもとって求めるようにしても良い。
【００５２】
次に、ステップ４で微分効率ηｉｎｉに対してフォーカスサーボをオンしたときの微分効率ηＡを求める。微分効率ηＡは上記微分効率ηｉｎｉとメモリに記憶された関係式とに基づいて求める。
次に、ステップ５でマウント終了後のライト前に微分効率ηＡに基づいて電圧信号最大設定値を変更する（電圧信号最大設定値変更工程）。このマウント動作というのは光ディスクにレーザ光を当ててフォーカスサーボオンし、トラッキングサーボオンした後に光ディスクの情報を得ることであるが、この処理は公知技術なのでここでは詳述を省略する。
【００５３】
そして、ステップ６で実際にトラックオン、マウント動作が終了してＯＰＣを実行する。ＯＰＣで発光させる際には微分効率ηＡを用いて電圧信号最大設定値を決めており、ここで設定した発光パワーに対応した基準電圧値を製造工程などで求めた値により設定し、ライト発光させる（光量レベル調整工程）。これをいくつかの発光パワーで行って最適記録パワーを求める。この最適記録パワーを求める方法はいろいろあるが公知技術なのでここでは詳述を省略する。ここでＯＰＣ時に設定した発光パワーとそのときＡＰＣで求まったＬＤ駆動電流設定値からまた微分効率ηＢを求める。すなわち、光ディスクに情報を記録する前に微分効率ηＢを求める。
【００５４】
ステップ７で微分効率ηＢに基づいて電圧信号最大設定値を変更して設定し直す。
次にステップ８で実際のデータ書き込み（ライト）となり、ＯＰＣで求まった最適記録パワーの基準電圧値を設定して、最適記録パワーでライトを開始する。
ステップ９でライト開始後の一定期間後、ＡＰＣによるＬＤ駆動電流値を調べ、ＬＤ駆動電流値の変化分から微分効率ηＣを求め（光ディスクにデータ記録中に求めた微分効率）、再度電圧信号最大設定値を設定し直し、ステップ１０でライト終了か否かを判断する。すなわち、ステップ９〜１０でライト開始後一定期間毎にＬＤ駆動電流値を調べ、記録開始直後に対して変化したＬＤ駆動電流値から変化した微分効率分を計算し直す処理をライト終了まで繰り返す。
このようにして、データ記録中でも再度電圧信号最大設定値を変えるようにすることで設定誤差も少なくなり適切な発光パワーで記録することができる。
【００５５】
以上述べたように、この光ディスク装置では、微分効率により電圧最大設定値を変えるようにすることで設定誤差をなくすことができ、より適切な発光パワーを設定することができる。
また、フォーカスサーボオン時の微分効率を計算し直し、それに応じて電圧信号最大設定値を変えるようにすることで設定誤差をなくすことができ、より適切な発光パワーを設定することができる。
さらに、ＯＰＣのように実際に記録前に発光パワーで発光させたときに微分効率を計算し直し、それに応じて電圧信号最大設定値を変えるようにすることで設定誤差をなくすことができ、より適切な発光パワーに設定することができる。
あるいはまた、記録中に微分効率を計算し直し、それに応じて電圧信号最大設定値を変えるようにすることで設定誤差をなくすことができ、より適切な発光パワーを設定することができる。
【産業上の利用可能性】
【００５６】
この発明による光ディスク装置とレーザパワー調整装置とレーザパワー調整方法は、デスクトップパソコン，ノートブックパソコン等のパーソナルコンピュータにおいても適用することができる。
【図面の簡単な説明】
【００５７】
【図１】図２に示したレーザコントローラ１７の内部構成をＬＤ及び受光素子（ＰＤ）と共に示す機能ブロック図である。
【図２】この発明の光ディスク装置の一実施例である光ディスクドライブの構成を示すブロック図である。
【図３】ＣＤ−Ｒディスクの記録時のレーザ光の発光パワーの変化の一例を示す波形図である。
【図４】ＺＣＬＶにおけるゾーンの区分けを示す説明図である。
【図５】ディジタルＡＰＣ制御時の第１のＳ／Ｈ回路３３と第１のコンパレータ３５の出力信号波形を示す図である。
【図６】ディジタルＡＰＣ制御時の第２のＳ／Ｈ回路３４と第２のコンパレータ３６の出力信号波形を示す図である。
【図７】レーザの駆動電流対発光パワー特性の関係例を示す図である
【図８】図１に示す光ディスクドライブの製造前又は製造工程時の処理とレーザコントローラ１７における電圧信号最大設定値変更処理とを示すフローチャート図である。
【符号の説明】
【００５８】
１０：スピンドルモータ    １１：光ピックアップ部    １２：モータドライバ    １３：リードアンプ    １４：サーボ    １５：ＣＤデコーダ    １６：ＡＴＩＰデコーダ    １７：レーザコントローラ    １８：ＣＤエンコーダ    １９：ＣＤ−ＲＯＭエンコーダ    ２０：バッファＲＡＭ    ２１：バッファマネージャ    ２２：ＣＤ−ＲＯＭデコーダ    ２３：インタフェース（Ｉ／Ｆ）    ２４：Ｄ／Ａコンバータ    ２５：ＲＯＭ    ２６：ＲＡＭ    ２７：ＣＰＵ    ２８：光ディスク    ３０：ＡＰＣ部    ３１：ＬＤドライバ部    ３２：Ｉ／Ｖ変換器    ３３：第１のＳ／Ｈ回路    ３４：第２のＳ／Ｈ回路    ３５：第１のコンパレータ    ３６：第２のコンパレータ    ３７：ＣＰＵ    ３８：第１のＤ／Ａコンバータ    ３９：第２のＤ／Ａコンバータ    ４０：第１のＶ／Ｉ変換器    ４１：第２のＶ／Ｉ変換器    ４２：第１の電流増幅器    ４３：第２の電流増幅器    ４４：電流加算器    ＬＤ：レーザダイオード    ＰＤ：フォトダイオード
【図１】
2005063546.tif 000003
【図２】
2005063546.tif 000004
【図３】
2005063546.tif 000005
【図４】
2005063546.tif 000006
【図５】
2005063546.tif 000007
【図６】
2005063546.tif 000008
【図７】
2005063546.tif 000009
【図８】
2005063546.tif 000010